(57)【特許請求の範囲】
【請求項１】
外部からプリントデータを取得する手段と、該プリントデータを第１種イメージデータに変換する手段と、原稿の画像を読み取って第２種イメージデータを取得する手段とを備える複合型ファクシミリ装置において、前記第１種イメージデータと前記第２種イメージデータとを格納するメモリと、該メモリに格納されている前記第１種イメージデータ及び前記第２種イメージデータの一部または全部にページ単位での通番を示すぺージ番号を付して混在データを作成する手段と、作成した混在データを前記メモリに格納する手段と、前記メモリに格納されている前記混在データをぺージ番号順に読み出す手段と、前記メモリから読み出された前記混在データをプリントする手段と、前記メモリから読み出された前記混在データをファクシミリ送信する手段と、前記メモリから読み出された前記混在データを前記プリントデータの取得元へ転送する手段とを備えることを特徴とする複合型ファクシミリ装置。
【発明の詳細な説明】
【０００１】
【発明の属する技術分野】
本発明は、ファクシミリ送受信機能，コピー機能，プリンタ機能，スキャナ機能などの複数の動作機能を有する複合型ファクシミリ装置に関する。
【０００２】
【従来の技術】
本来のファクシミリ送受信機能，コピー機能，スキャナ機能に加えて、パーソナルコンピュータ(Personal Computer，以下、ＰＣという）などの情報処理装置に接続されて、情報処理装置からのプリントデータをプリントアウトするプリンタ機能を備えた機能複合型のファクシミリ装置が開発されている。
【０００３】
このような複合型ファクシミリ装置にあって、ＰＣなどの情報処理装置から入力されるプリントデータを印刷すべく格納する場合、従来では、この入力されたプリントデータを一旦記録紙にプリントアウトし、そのプリントアウトされた記録紙の画像を読み取り、読み取られたイメージデータを格納することが一般的である。また、この際、必要があればプリントアウトされた記録紙と通常の原稿との読み取りの順序を任意に入れ替えている。
【０００４】
【発明が解決しようとする課題】
従来例では、情報処理装置から入力されるプリントデータの格納処理が面倒であるという問題がある。また、この格納処理時に記録紙の無駄が生じることになる。更に、情報処理装置から入力されるプリントデータと原稿を読み取って得られる画像データとの編集を行えないという問題がある。
【０００５】
本発明は斯かる事情に鑑みてなされたものであり、情報処理装置から入力されるプリントデータの格納処理を容易に行える複合型ファクシミリ装置を提供することを目的とする。
【０００６】
本発明の他の目的は、記録紙を無駄にすることなく、情報処理装置から入力されるプリントデータの格納処理を行える複合型ファクシミリ装置を提供することにある。
【０００７】
本発明の更に他の目的は、情報処理装置から入力されるプリントデータと原稿の読み取りによる画像データとの編集をページ単位で自由に行える複合型ファクシミリ装置を提供することにある。
【０００８】
【課題を解決するための手段】
本発明に係る複合型ファクシミリ装置は、外部からプリントデータを取得する手段と、該プリントデータを第１種イメージデータに変換する手段と、原稿の画像を読み取って第２種イメージデータを取得する手段とを備える複合型ファクシミリ装置において、前記第１種イメージデータと前記第２種イメージデータとを格納するメモリと、該メモリに格納されている前記第１種イメージデータ及び前記第２種イメージデータの一部または全部にページ単位での通番を示すぺージ番号を付して混在データを作成する手段と、作成した混在データを前記メモリに格納する手段と、前記メモリに格納されている前記混在データをぺージ番号順に読み出す手段と、前記メモリから読み出された前記混在データをプリントする手段と、前記メモリから読み出された前記混在データをファクシミリ送信する手段と、前記メモリから読み出された前記混在データを前記プリントデータの取得元へ転送する手段とを備えることを特徴とする。
【０００９】
本発明の複合型ファクシミリ装置にあっては、情報処理装置から入力したプリントデータを第１種イメージデータに変換し、その第１種イメージデータと、原稿の画像を読み取って取得した第２種イメージデータとを、同一のメモリに格納する。よって、プリントデータの格納処理は容易であり、その格納処理時に従来例のようにプリントアウトが不要となって記録紙の無駄がない。また、プリントデータ（第１種イメージデータ）と画像データ（第２種イメージデータ）とを同一のメモリに格納しており、それらの編集も自由に行える。また、本発明の複合型ファクシミリ装置にあっては、第１種イメージデータと第２種イメージデータとをぺージ単位でその順序を入れ替えて混在データを作成し、作成した混在データをページ番号順にメモリから読み出す。よって、プリントデータ（第１種イメージデータ）と画像データ（第２種イメージデータ）とのぺージ単位での編集を行える。更に、本発明の複合型ファクシミリ装置にあっては、メモリから読み出された第１種イメージデータと第２種イメージデータとの混在データを、プリントしたり、ファクシミリ送信したり、情報処理装置へ転送したりする。よって、プリントデータ（第１種イメージデータ）と画像データ（第２種イメージデータ）とを自由に編集させた後の混在データのプリント処理，ファクシミリ送信処理，情報処理装置への転送処理を行える。
【００１４】
【発明の実施の形態】
以下、本発明をその実施の形態を示す図面を参照して具体的に説明する。
図１は、本発明の複合型ファクシミリ装置の構成を示すブロック図であり、本発明の複合型ファクシミリ装置は、主制御部１，読取部２，記録部３，表示部４，操作部５，符号化・復号化部６，ＲＯＭ７，ＲＡＭ８，ブザー９，画像メモリ１０，モデム１１，ＮＣＵ（Network Control Unit）１２，ＰＣインタフェース部１３などを備えている。本発明の複合型ファクシミリ装置は、本来のファクシミリ機能，コピー機能，原稿の読み取り機能に加えて、ＰＣインタフェース部１３を介して情報処理装置としのＰＣ２０に接続することにより、ＰＣ２０にて作成されたプリントデータを入力し、その入力されたプリントデータを自身の記録部３でプリントアウトするプリンタ機能を有している。
【００１５】
主制御部１は、具体的にはＣＰＵで構成されており、バス１４を介して複合型ファクシミリ装置の上述したようなハードウェア各部と接続されていて、それらを制御すると共に、ＲＯＭ７に格納されたコンピュータプログラムに従って、種々のソフトウェア的機能を実行する。読取部２は、例えばＣＣＤを利用したスキャナで原稿を読み取り、読み取った画像データを出力する。記録部３は、電子写真方式のプリンタ装置であって、ファクシミリ通信により受信した画像データ、読取部２にて読み取った原稿の画像データ、ＰＣから送られてきたプリントデータなどをプリントアウトする。
【００１６】
表示部４は、液晶表示装置またはＣＲＴディスプレイ等の表示装置であり、複合型ファクシミリ装置の動作状態を表示したり、送信すべく読み取った原稿の画像データ、他のファクシミリ装置から受信した画像データ、ＰＣから送られてきたプリントデータなどの表示を行う。操作部５は、複合型ファクシミリ装置を操作するために必要な文字キー，テンキー，短縮ダイヤルキー，ワンタッチダイヤルキー，各種のファンクションキーなどを備えている。ファンクションキーには、イメージデータのプリント指示を受け付けるプリントキー、イメージデータのＰＣ２０への転送指示を受け付けるＰＣ転送キー、動作開始の指示を受け付けるスタートキー、動作停止の指示を受け付ける停止キー、イメージデータのページ整理時に使用する十字キーなどを含んでいる。なお、表示部４をタッチパネル方式とすることにより、操作部５の各種のキーの内の一部または全部を代用することも可能である。符号化・復号化部６は、画信号を符号化圧縮すると共に、符号化圧縮されている画像データを元の画信号に復号化する。
【００１７】
ＲＯＭ７は、複合型ファクシミリ装置の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。ブザー９は、異常な処理が発生した際に鳴動し、ユーザに異常の旨を知らせる。
【００１８】
画像メモリ１０は、ＤＲＡＭ等で構成され、送信すべく読み取ったイメージデータ、他のファクシミリ装置から受信したイメージデータ、ＰＣ２０から送られてきたプリントデータを変換したイメージデータなどを蓄積する。図２は、画像メモリ１０の構成を示す図である。画像メモリ１０には、複数のメモリボックス１０ａが存在し、各メモリボックス１０ａには夫々に対応したボックス番号が付けられている。各メモリボックス１０ａには、読取部２にて読み取られた原稿のイメージデータ（第１種イメージデータに相当し、以下、読取イメージデータと称する）とＰＣ２０から送られてきたプリントデータを変換したイメージデータ（第２種イメージデータに相当、以下、ＰＣイメージデータと称する）とがページ単位で混在して格納されている。例えば、図２に示す例では、０，１，２の番号が付された３ページ分のＰＣイメージデータと３，４の番号が付された２ページ分の読取イメージデータとが、ボックス番号Ｎｏ．１のメモリボックス１０ａに格納されている。各メモリボックス１０ａ内では、ＰＣからのプリントデータが読取イメージデータと同じ形式のイメージデータに変換されて格納されているので、これらのＰＣイメージデータ及び読取イメージデータを同等に処理できるため、これらのイメージデータの番号を任意に変更でき、所望の順序にてこれらのイメージデータを整理して読み出すことが可能である。また、画像メモリ１０は、イメージデータの番号を計数するためのページカウンタと、各イメージデータの番号を管理するための管理テーブルとを有する。
【００１９】
モデム１１は、バス１４に接続されており、ファクシミリ通信が可能なファクシミリモデムから構成されている。また、モデム１１は、同様にバス１４に接続されたＮＣＵ１２と直接的に接続されている。ＮＣＵ１２は、電話回線網との回線Ｌの閉結及び開放の動作を行うハードウェアであり、必要に応じてモデム１１を電話回線網と接続する。
【００２０】
ＰＣインタフェース部１３は、通信回線Ｃを介してＰＣ２０に接続され、ＰＣ２０との間でデータのやりとりを行い、ＰＣからＰＤＬ（Print Description Language：ページ記述言語）で表されたプリントデータを入力する。ＰＣインタフェース部１３は、ＰＤＬ解釈機能を有しており、プリントデータからイメージデータへの変換、及び、イメージデータからプリントデータへの変換を行う。
【００２１】
次に、動作について説明する。まず、本発明の複合型ファクシミリ装置におけるＰＣ２０からのデータの入力・格納処理について説明する。図３は、この入力・格納処理の動作手順を示すフローチャートである。
【００２２】
主制御部１は、ＰＣ２０からのデータが受信されたことを検知した場合（ステップＳ１：ＹＥＳ）、ＰＣ２０から送られてきたＰＪＬ（Print Job Language）データにより、メモリボックス１０ａへのデータ格納が指定されているか否かを判断する（ステップＳ２）。データ格納が指定されている場合（Ｓ２：ＹＥＳ）、主制御部１は、ＰＪＬデータにより、メモリボックス１０ａのボックス番号が指定されているか否かを判断する（ステップＳ３）。データ格納が指定されていない場合（Ｓ２：ＮＯ）、及び、ボックス番号が指定されていない場合（Ｓ３：ＮＯ）に、主制御部１は、ＰＣ２０から入力されたプリントデータの通常のプリント処理を記録部３に行わせる（ステップＳ４）。
【００２３】
メモリボックス１０ａのボックス番号が指定されている場合（Ｓ３：ＹＥＳ）、主制御部１は、その指定されたボックス番号に対応するメモリボックス１０ａが画像メモリ１０に開設済であるか否かを判断する（ステップＳ５）。開設されていない場合（Ｓ５：ＮＯ）、主制御部１はブザー９を鳴動させる（ステップＳ６）。
【００２４】
開設されている場合（Ｓ５：ＹＥＳ）、主制御部１は、入力されたプリントデータをイメージデータ（ＰＣイメージデータ）にＰＣインタフェース部１３にて変換させた後、圧縮処理を実行する（ステップＳ７）。そして、主制御部１は、ＰＪＬデータで指定されたボックス番号のメモリボックス１０ａにページ単位でＰＣイメージデータを格納する（ステップＳ８）。主制御部１は、ＰＣ２０から入力されるプリントデータが終了したか否かを判断し（ステップＳ９）、終了していない場合には（Ｓ９：ＮＯ）、Ｓ７，Ｓ８の処理を繰り返す。
【００２５】
次いで、本発明の複合型ファクシミリ装置における原稿のイメージデータの読み取り・格納処理について説明する。図４は、この読み取り・格納処理の動作手順を示すフローチャートである。
【００２６】
読み取られた原稿のイメージデータに関してメモリボックス１０ａへのデータ格納が指定されている場合（ステップＳ１１：ＹＥＳ）、主制御部１は、指定されたボックス番号に対応するメモリボックス１０ａが画像メモリ１０に開設済であるか否かを判断する（ステップＳ１２）。開設されていない場合（Ｓ１２：ＮＯ）、主制御部１はブザー９を鳴動させる（ステップＳ１３）。
【００２７】
開設されている場合（Ｓ１２：ＹＥＳ）に、主制御部１は、読取部２にて原稿を読み取らせてイメージデータ（読取イメージデータ）を取得した後、圧縮処理を実行する（ステップＳ１４）。そして、主制御部１は、指定された番号のメモリボックス１０ａにページ単位で取得した読取イメージデータを格納する（ステップＳ１５）。主制御部１は、全ての原稿について読み取りを終了したか否かを判断し（ステップＳ１６）、終了していない場合には（Ｓ１６：ＮＯ）に、Ｓ１４，Ｓ１５の処理を繰り返す。
【００２８】
次いで、本発明の複合型ファクシミリ装置におけるメモリボックス１０ａ内でのイメージデータの編集処理について説明する。図５〜図７は、この編集処理の動作手順を示すフローチャートである。
【００２９】
メモリボックス１０ａに格納されているイメージデータの編集処理の指示がなされた場合（ステップＳ２１：ＹＥＳ）、主制御部１は、指定されたボックス番号に対応するメモリボックス１０ａが画像メモリ１０に開設済であるか否かを判断する（ステップＳ２２）。開設されていない場合（Ｓ２２：ＮＯ）、主制御部１はブザー９を鳴動させる（ステップＳ２３）。
【００３０】
開設されている場合（Ｓ２２：ＹＥＳ）、主制御部１は、ページカウンタを”０”に設定する（ステップＳ２４）。そして、主制御部１は、ページカウンタの番号に対応するイメージデータがＰＣイメージデータであるか否かを判断する（ステップＳ２５）。ＰＣイメージデータである場合に（Ｓ２５：ＹＥＳ）、主制御部１は、「ＰＣイメージデータである」旨とそれが作成された日時とを表示部４に表示させる（ステップＳ２６）。一方、ＰＣイメージデータでない場合、即ち読取イメージデータである場合に（Ｓ２５：ＮＯ）、主制御部１は、「読取イメージデータである」旨とそれが作成された日時とを表示部４に表示させる（ステップＳ２７）。
【００３１】
主制御部１は、なんらかのキー入力がなされたか否かを判断し（ステップＳ２８）、なされていない場合（Ｓ２８：ＮＯ）には処理がＳ２５に戻る。
【００３２】
キー入力がなされた場合（Ｓ２８：ＹＥＳ）、主制御部１は、十字キーの上向きキーが押されたか否かを判断し（ステップＳ２９）、押された場合に（Ｓ２９：ＹＥＳ）、ページカウンタの番号が”０”であるか否かを判断し（ステップＳ３０）、”０”であるときに（Ｓ３０：ＹＥＳ）ブザー９を鳴動させる（ステップＳ３１）。”０”でないときに（Ｓ３０：ＮＯ）、主制御部１は、ページカウンタの番号を”１”だけ減算させる（ステップＳ３２）。
【００３３】
上向きキーが押されない場合（Ｓ２９：ＮＯ）、主制御部１は、十字キーの下向きキーが押されたか否かを判断し（ステップＳ３３）、押された場合に（Ｓ３３：ＹＥＳ）、ページカウンタの番号が、指定されたメモリボックス１０ａの最終のデータ番号であるか否かを判断し（ステップＳ３４）、最終のデータ番号であるときに（Ｓ３４：ＹＥＳ）ブザー９を鳴動させる（ステップＳ３５）。最終のデータ番号でないときに（Ｓ３５：ＮＯ）、主制御部１は、ページカウンタの番号を”１”だけ加算させる（ステップＳ３６）。
【００３４】
以上のようなＳ２９〜Ｓ３６の動作処理によって、編集対象のイメージデータを指定する。
【００３５】
次に、主制御部１は、十字キーの左向きキーが押されたか否かを判断し（ステップＳ３７）、押された場合に（Ｓ３７：ＹＥＳ）、ページカウンタの番号が”０”であるか否かを判断し（ステップＳ３８）、”０”であるときに（Ｓ３８：ＹＥＳ）ブザー９を鳴動させる（ステップＳ３９）。”０”でないときに（Ｓ３８：ＮＯ）、主制御部１は、ページカウンタの番号を”１”だけ減算させ（ステップＳ４０）、画像メモリ１０の管理テーブルにおけるそのイメージデータのページ数を”１”だけ減算させる（ステップＳ４１）。
【００３６】
左向きキーが押されない場合（Ｓ３７：ＮＯ）、主制御部１は、十字キーの右向きキーが押されたか否かを判断し（ステップＳ４２）、押された場合に（Ｓ４２：ＹＥＳ）、ページカウンタの番号が、指定されたメモリボックス１０ａの最終のデータ番号であるか否かを判断し（ステップＳ４３）、最終のデータ番号であるときに（Ｓ４３：ＹＥＳ）ブザー９を鳴動させる（ステップＳ４４）。最終のデータ番号でないときに（Ｓ４３：ＮＯ）、主制御部１は、ページカウンタの番号を”１”だけ加算させ（ステップＳ４５）、画像メモリ１０の管理テーブルにおけるそのイメージデータのページ数を”１”だけ加算させる（ステップＳ４６）。
【００３７】
以上のようなＳ３７〜Ｓ４６の動作処理によって、編集対象として指定されたイメージデータの編集を実行する。
【００３８】
右向きキーが押されない場合（Ｓ４２：ＮＯ）、主制御部１は、停止キーが押されたか否かを判断し（ステップＳ４７）、押されない場合に（Ｓ４７：ＮＯ）、ブザー９を鳴動させて（ステップＳ４８）、処理がＳ２５に戻る。停止キーが押された場合には（Ｓ４７：ＹＥＳ）、処理は終了する。
【００３９】
なお、上述したイメージデータの編集処理（図５，図６）では、１ページずつ順次ずらせてイメージデータの指定・編集（ページ番号変更）を行うようにしたが、これは一例であって、１つの編集対象のイメージデータを指定し、その指定したイメージデータの番号をダイナミックに所望の番号に指定する処理なども可能であり、本発明の複合型ファクシミリ装置におけるイメージデータの編集処理が上述した処理例に限定されないことは勿論である。
【００４０】
次いで、本発明の複合型ファクシミリ装置におけるプリント処理／ファクシミリ送信処理／ＰＣ２０への転送処理について説明する。図８，図９は、これらの各処理の動作手順を示すフローチャートである。
【００４１】
プリント処理／ファクシミリ送信処理／ＰＣへの転送処理の何れかを行う指示がなされた場合（ステップＳ５１）、主制御部１は、指定されたボックス番号に対応するメモリボックス１０ａが画像メモリ１０に開設済であるか否かを判断する（ステップＳ５２）。開設されていない場合（Ｓ５２：ＮＯ）、主制御部１はブザー９を鳴動させる（ステップＳ５３）。
【００４２】
開設されている場合に（Ｓ５２：ＹＥＳ）、主制御部１は、上記処理の対象となるイメージデータの番号の指定を受け付ける（ステップＳ５４）。この際、処理対象となるイメージデータの番号が連続するように、メモリボックス１０ａ内で編集しておけば、その連続する番号の最初と最後とを指定すれば良い。勿論、処理対象となるイメージデータの全番号を指定するようにしても良い。そして、主制御部１は、プリントキーが押されたか否かを判断する（ステップＳ５５）。
【００４３】
プリントキーが押された場合に（Ｓ５５：ＹＥＳ）、主制御部１は、プリント部数が指定されたか否かを判断し（ステップＳ５６）、指定されたときには（Ｓ５６：ＹＥＳ）、そのプリント部数を記憶する（ステップＳ５７）。そして、主制御部１は、スタートキーが押されたか否かを判断し（ステップＳ５８）、押された場合には（Ｓ５８：ＹＥＳ）、指定された番号のイメージデータを指定された部数で記録部３にてプリントさせる（ステップＳ５９）。スタートキーが押されない場合（Ｓ５８：ＮＯ）、主制御部１は、停止キーが押されたか否かを判断し（ステップＳ６０）、押されない場合に（Ｓ６０：ＮＯ）、ブザー９を鳴動させて（ステップＳ６１）、処理がＳ５６に戻る。停止キーが押された場合には（Ｓ６０：ＹＥＳ）、処理は終了する。
【００４４】
プリントキーが押されない場合に（Ｓ５５：ＮＯ）、主制御部１は、ＰＣ転送キーが押されたか否かを判断する（ステップＳ６２）。ＰＣ転送キーが押された場合には（Ｓ６２：ＹＥＳ）、指定された番号のイメージデータをプリントデータに変換させ，その変換されたプリントデータをＰＣへ転送させる（ステップＳ６３）。
【００４５】
ＰＣ転送キーが押されない場合に（Ｓ６２：ＮＯ）、主制御部１は、送信相手先のファクシミリ番号が入力指定されたか否かを判断し（ステップＳ６４）、指定されたときには（Ｓ６４：ＹＥＳ）、そのファクシミリ番号を記憶する（ステップＳ６５）。そして、主制御部１は、スタートキーが押されたか否かを判断し（ステップＳ６６）、押された場合には（Ｓ６６：ＹＥＳ）、指定された番号のイメージデータを指定されたファクシミリ番号の相手先へ送信する（ステップＳ６７）。スタートキーが押されない場合（Ｓ６６：ＮＯ）、主制御部１は、停止キーが押されたか否かを判断し（ステップＳ６８）、押されない場合に（Ｓ６８：ＮＯ）、ブザー９を鳴動させて（ステップＳ６９）、処理がＳ６４に戻る。停止キーが押された場合には（Ｓ６８：ＹＥＳ）、処理は終了する。
【００４６】
なお、上述した例では、プリントキーの押下、ＰＣ転送キーの押下の順にそれらの有無を検知して、各キーが押された場合にプリント処理、転送処理を行い、これらの何れのキーも押されない場合にファクシミリ送信処理を行うようにしたが、これは一例であって、各処理を決定する順序がこの上述した例に限定されないことは勿論である。
【００４７】
以上のように、本発明では、ＰＣイメージデータと読取イメージデータとを同じメモリボックス１０ａに格納して、それらのイメージデータをページ単位で任意に編集して、その編集したイメージデータをプリントしたり、ＰＣへ転送したり、ファクシミリ送信したりすることができるので、例えば、内容が固定的であるヘッダページはＰＣにて作成したデータ、２ページ目以降は読み取った原稿のデータになるように編集して、そのデータをファクシミリ送信することを極めて容易に行える。
【００４８】
【発明の効果】
本発明では、ＰＣから入力したプリントデータをＰＣイメージデータに変換し、そのＰＣイメージデータと、原稿を読み取って取得した読取イメージデータとを、同一のメモリに格納するようにしたので、プリントデータの格納を容易に行うことができ、その格納処理時に従来例のようにプリントアウトが不要となって記録紙の無駄はなく、また、ＰＣイメージデータと読取イメージデータとの編集を自由に行うことができる。
【００４９】
また本発明では、ＰＣイメージデータと読取イメージデータとをぺージ単位でその順序を入れ替えて混在データを作成し、その混在データをページ番号順にメモリから読み出せるようにしたので、ＰＣイメージデータと読取イメージデータとのぺージ単位での自由な編集を行うことができる。
【００５０】
更に本発明では、メモリから読み出したＰＣイメージデータと読取イメージデータとの混在データを、プリントしたり、ファクシミリ送信したり、ＰＣへ転送したりするようにしたので、ＰＣイメージデータと読取イメージデータとを自由に編集させた後の混在データのプリント処理，ファクシミリ送信処理，ＰＣへの転送処理を行うことができる。
【図面の簡単な説明】
【図１】本発明の複合型ファクシミリ装置の構成を示すブロック図である。
【図２】本発明の複合型ファクシミリ装置における画像メモリの構成を示す図である。
【図３】本発明の複合型ファクシミリ装置におけるＰＣからのデータの入力・格納処理の動作手順を示すフローチャートである。
【図４】本発明の複合型ファクシミリ装置における原稿のイメージデータの読み取り・格納処理の動作手順を示すフローチャートである。
【図５】本発明の複合型ファクシミリ装置におけるメモリボックス内でのイメージデータの編集処理の動作手順を示すフローチャートである。
【図６】本発明の複合型ファクシミリ装置におけるメモリボックス内でのイメージデータの編集処理の動作手順を示すフローチャートである。
【図７】本発明の複合型ファクシミリ装置におけるメモリボックス内でのイメージデータの編集処理の動作手順を示すフローチャートである。
【図８】本発明の複合型ファクシミリ装置におけるプリント処理／ファクシミリ送信処理／ＰＣへの転送処理の動作手順を示すフローチャートである。
【図９】本発明の複合型ファクシミリ装置におけるプリント処理／ファクシミリ送信処理／ＰＣへの転送処理の動作手順を示すフローチャートである。
【符号の説明】
１  主制御部
２  読取部
３  記録部
５  操作部
７  ＲＯＭ
８  ＲＡＭ
１０  画像メモリ
１０ａ  メモリボックス
１１  モデム
１２  ＮＣＵ
１３  ＰＣインタフェース部
２０  ＰＣ
【図１】
0003637896.tif 000002
【図２】
0003637896.tif 000003
【図３】
0003637896.tif 000004
【図４】
0003637896.tif 000005
【図５】
0003637896.tif 000006
【図６】
0003637896.tif 000007
【図７】
0003637896.tif 000008
【図８】
0003637896.tif 000009
【図９】
0003637896.tif 000010